(57)【要約】【課題】背筋を伸ばして姿勢を矯正するのに最適な背筋矯正用ピローを提供することにある。【解決手段】袋状に形成された外皮２と該外皮内に充填された蕎麦殻等の詰め物３とかなる背筋矯正用ピロー１において、前記外皮２は布生地を縫着することにより、直径６ｃｍ〜１０ｃｍ、長さ３０cm〜３５cmの筒状２ａに形成され、前記詰め物３を前記外皮の容積に対して７５〜８５％の割合で充填し、ピローの両端部には装飾兼用締結紐を設けた。【選択図】図１
0003112881.tif 000002
【実用新案登録請求の範囲】
【請求項１】
袋状に形成された外皮と該外皮内に充填された蕎麦殻等の詰め物とかなるピローにおいて、前記外皮は布生地を縫着することにより、直径６ｃｍ〜１０ｃｍ、長さ３０cm〜３５cmの筒状に形成され、前記詰め物は前記外皮の容積に対して７５〜８５％の割合で充填したことを特徴とする背筋矯正用ピロー。
【請求項２】
袋状に形成された外皮と該外皮内に充填された蕎麦殻等の詰め物とかなるピローにおいて、前記外皮は布生地を縫着することにより、直径６ｃｍ〜１０ｃｍ、長さ３０cm〜３５cmの筒状に形成され、前記詰め物は前記外皮の容積に対して７５〜８５％の割合で充填され、筒状の外皮の夫々の両端部に互いに対向するような紐取付部を設け、該紐取付部に取り付けられた紐を蝶結びすることにより装飾を図ると共に該結びを解いて、椅子、座席シート等への固定紐として使用するように構成したことを特徴とする背筋矯正用ピロー。
【考案の詳細な説明】
【技術分野】
【０００１】
本考案は、背筋を伸ばして姿勢を矯正するのに最適な背筋矯正用ピローに関する。
【背景技術】
【０００２】
従来より、身体各所に当接するための各種のピローがあり、また、ピロー全体を略Ｈ形状に形成して腰部近傍の背中に当接することにより姿勢矯正と保温を図るようにしたものも提案されている。
【特許文献１】第３０１４９５５号登録実用新案公報
【考案の開示】
【考案が解決しようとする課題】
【０００３】
従来のピローはその形状を工夫することだけを意図したものであり、前記特許文献１で提案されているものにおいてもその形状を略Ｈ形状にすることによりその目的を達成しようとしているが、本考案者が種々研究した結果、姿勢矯正等に使用するピローは長時間身体に当接するものであるから、背筋を伸ばして姿勢を矯正するのに最適なものはピローの形状ではなく、その大きさとその内部に充填する詰め物の量との関係で最適な硬さにすることが重要であることを見出した。
【０００４】
したがって本考案は、背筋を伸ばして姿勢を矯正するのに最適な背筋矯正用ピローを提供することを目的とする。
【課題を解決するための手段】
【０００５】
本考案の背筋矯正用ピローは、袋状に形成された外皮と該外皮内に充填された蕎麦殻等の詰め物とかなるピローにおいて、前記外皮は布生地を縫着することにより、直径６ｃｍ〜１０ｃｍ、長さ３０cm〜３５cmの筒状に形成され、前記詰め物は前記外皮の容積に対して７５〜８５％の割合で充填したことを特徴とする。
【０００６】
この場合、筒状の外皮の夫々の両端部に互いに対向するような紐取付部を設け、該紐取付部に取り付けられた紐を蝶結びすることにより装飾を図ると共に該紐を解いて、椅子、座席シート等への固定紐として使用するように構成すればより便利である。
【０００７】
本考案者の種々の実験の結果、背筋矯正用ピローの大きさは、筒状外皮としては直径６ｃｍ〜１０ｃｍ、長さ３０cm〜３５cmに形成されたものが最適であり、直径が６ｃｍ以下であると細すぎて身体に当接した際に却って違和感を覚え、また、直径が１０ｃｍ以上であると、局所的押圧効果に欠けることが判明した。また、その長さが３０ｃｍ以下では身体へ当接する長さが不足し、３５ｃｍ以上になると局所的押圧効果に欠けると共に取り扱いに不便となることが判明した。したがって、筒状外皮の大きさは、直径６ｃｍ〜１０ｃｍ、長さ３０cm〜３５cmに形成されたものが最適である。
【０００８】
前記のような外皮に充填する詰め物としては、蕎麦殻又は粒状に成形されたプラスチック素材のものが使用されるが、吸熱効果、保温効果の点からは蕎麦殻が有利である。充填すべき量としては、前記外皮の容積に対して７５〜８５％の割合が最適である。種々実験の結果、充填量が７５％以下であると内容量不足で軟らかすぎ、身体に対する局所的押圧効果が低下するし、充填量が８５％を越えると硬すぎて圧迫感を感じ、長時間の使用に不向きであった。したがって、詰め物の充填量としては前記外皮の容積に対して７５〜８５％の割合が最適であることが判明した。
【０００９】
背筋矯正用ピローとしての装飾性、使用時の利便性を考慮して、筒状の外皮の夫々の両端部に互いに対向するような紐取付部を設け、該紐取付部に取り付けられた紐を蝶結びすることにより装飾を図ると共に該結びを解いて、椅子、座席シート等への固定紐として使用するような形態とすることが望ましい。
【考案の効果】
【００１０】
本考案の背筋矯正用ピローは、袋状に形成された外皮と該外皮内に充填された蕎麦殻等の詰め物とかなるピローにおいて、前記外皮は布生地を縫着することにより、直径６ｃｍ〜１０ｃｍ、長さ３０cm〜３５cmの筒状に形成され、前記詰め物は前記外皮の容積に対して７５〜８５％の割合で充填されているから、これを首枕としたり背中に当接した状態で姿勢を保つことにより背筋が伸びた状態を維持することができ、姿勢を矯正することができる。
【００１１】
この場合、背筋矯正用ピローは身体に当接する際に最適な長さと太さを備え、内部の詰め物の充填量は身体に長時間当接しても違和感を覚えたりすることなく身体を局所的に押圧する効果が得られ、疲労感がない等の効果を奏する。
【００１２】
背筋矯正用ピローには両端部に夫々２本の紐が取り付けられ、これを蝶結びすることにより背筋矯正用ピローに装飾性を与えると共にその結びを解くと椅子や座席シート等に縛り付ける際の締結紐として使用することができ、身体に当接するに際しては最適な位置に保持させることができる。
【考案を実施するための最良の形態】
【００１３】
本考案の背筋矯正用ピローの実施例を図１及び図２に基づいて説明する。図１は本考案の背筋矯正用ピローを示す斜視図、図２は断面図であり、本考案の背筋矯正用ピローは、袋状に形成された外皮２と該外皮２内に充填された蕎麦殻等の詰め物３とかなる背筋矯正用ピロー１において、前記外皮２は布生地を縫着することにより、直径６ｃｍ〜１０ｃｍ、長さ３０cm〜３５cmの筒状２ａに形成され、前記詰め物３は前記外皮２の容積に対して７５〜８５％の割合で充填したものである。
【００１４】
種々実験の結果、前述のように、筒状外皮としては、直径６ｃｍ〜１０ｃｍ、長さ３０cm〜３５cmに形成されたものが最適であり、詰め物の充填量の多少にかかわらず、直径が６ｃｍ以下であると細すぎて身体に当接した際に却って違和感を覚え、また、直径が１０ｃｍ以上であると、身体への押圧ポイントがボケて局所的押圧効果に欠けることが判明している。また、その長さが３０ｃｍ以下では身体へ当接する長さが不足し、３５ｃｍ以上になると局所的押圧効果に欠けると共に取り扱いに不便となることが判明した。したがって、筒状外皮の大きさは、直径６ｃｍ〜１０ｃｍ、長さ３０cm〜３５cmに形成されたものが最適である。
【００１５】
また、詰め物３の充填量としては、前記外皮の容積に対して７５〜８５％の割合が最適であり、充填量が７５％以下であると内容量不足で軟らかすぎ、身体に対する局所的押圧効果が低下するし、充填量が８５％を越えると硬すぎて圧迫感を感じ、長時間の使用に不向きであることも前述の通りである。したがって、詰め物の充填量としては前記外皮の容積に対して７５〜８５％の割合が最適である。
【００１６】
実施例においては、前記外皮２の直径２ｒは８ｃｍであり、その長さＬは３３ｃｍとしてあり、詰め物３としては蕎麦殻を１８０ｍｌカップで約７杯分充填した。したがって、外皮２の容積（両端部の丸み部分を考慮すると約１６５０立方ｃｍ）に対する詰め物３の充填量（１２６０立方ｃｍ）の割合はほぼ７９％である。これにより背筋矯正用ピロー１として適度な太さで適度な長さのものとなり、適度な硬さのものが得られた。
【００１７】
また、筒状の外皮２の夫々の両端部４，５に互いに対向するような紐取付部６，７を設けて該紐取付部６，７の夫々に紐８を取り付ける。前記紐取付部６，７は外皮両端部の一部を摘み縫いすることにより形成され、この紐取付部６，７の夫々に長めの紐８を折り返してその両端を縫着する。図１に示すように、この紐８を蝶結びすると背筋矯正用ピロー１の両端部の装飾となり、また、この蝶結びを解くと椅子の背もたれ等への固定紐として使用することができ、背筋矯正用ピロー１を最適な位置に固定することができる。
【００１８】
図１において、９は背筋矯正用ピロー１のカバーであって、図では開いた状態で示されているが、筒状に縫製されており、その長さは背筋矯正用ピロー１の両端部が出る程度のものとなっていて、このカバー９内に背筋矯正用ピロー１を挿入するようになっている。
【００１９】
前記のように構成された背筋矯正用ピロー１は、仰向けになって寝た際に背骨に沿うように敷き込んで使用したり、横にして腰部に当接するようにする。或いは、前記紐８を解いて椅子の背もたれ（図示しない）等に結びつけることにより位置決めして、背中又は腰部の最適な位置に当接する。
【００２０】
この背筋矯正用ピロー１は縦にして背中に当接したり横にして腰部に当接する際に最適な長さと太さになっており、また、詰め物の硬さは長時間使用しても圧迫感や疲労感等はなく、身体の局所的押圧効果を充分に発揮させることができる。
【産業上の利用可能性】
【００２１】
本考案の背筋矯正用ピローは、実施例では背中当てや腰部当てとして説明したが、首に当接して通常の枕としても使用することができるのは勿論である。
【図面の簡単な説明】
【００２２】
【図１】本考案の背筋矯正用ピローを示す斜視図である。
【図２】背筋矯正用ピローの断面図である。
【符号の説明】
【００２３】
１    背筋矯正用ピロー
２    外皮
２ａ  筒状
３    詰め物
４    端部
５    端部
６    紐取付部
７    紐取付部
８    紐
【図１】
0003112881.tif 000003
【図２】
0003112881.tif 000004